(57)【要約】【課題】見開き原稿の中綴じ部分が白抜け画像や黒い画像にならないように画像を読み取ることができる画像読取装置、及びこの画像読取装置を備える画像形成装置を提供する。【解決手段】区間Ｃでは、反射光量が区間Ａの反射光量より大きい一定値になっている。区間Ｃでは、Ｂｏｏｋ原稿の画像面が原稿台７１から離間しているにも関わらず、反射光量が区間Ａの反射光量より大きい一定値となっていることから、ＣＣＤイメージセンサ７３２の出力が飽和していることが分かる。制御部７７は、光源７４１の照射光量を基準光量の半分まで低下させる制御を行う。区間Ｄでは、反射光量が区間Ｃの反射光量から徐々に低下している。区間Ｄでは、反射光に正反射光が含まれているにも関わらず、反射光量が区間Ｃの反射光量より小さいため、Ｂｏｏｋ原稿の画像面が原稿台７１から大きく離間していることが分かる。制御部７７は、照射光量を徐々に上昇させる制御を行う。【選択図】  図７
2012039332.tif 000002
【特許請求の範囲】
【請求項１】
原稿台に載置された見開き原稿の画像を読み取るブック原稿モードを含む複数のモードの何れかの選択を受け付ける受付手段と、
原稿へ光を照射する光源と、
前記光源から照射した光の反射光に基づいて前記原稿の画像を読み取る撮像素子と、
前記反射光の光量を測定する測定手段と、
前記光源が光を照射している照射位置を検知する検知手段と、
前記反射光の光量と前記照射位置とを対応付けて記憶する記憶手段と、
前記受付手段が前記ブック原稿モードの選択を受け付けた場合に、前記見開き原稿へ前記光源から光を照射させて、前記測定手段が測定した光量と前記検知手段が検知した照射位置とを対応付けて前記記憶手段へ記憶する前処理と、前記記憶手段を参照して前記反射光の光量が第１所定値以上の場合に前記光源の照射光量を低下させ、前記反射光の光量が第２所定値未満の場合に前記光源の照射光量を上昇させるとともに、前記見開き原稿へ前記光源から光を照射させて前記見開き原稿の画像を前記撮像素子に読み取らせる本処理と、を制御する制御手段と、を備えた画像読取装置。
【請求項２】
前記制御手段は、前記前処理において、前記反射光の光量の変化幅に応じて前記見開き原稿の画像読取領域を少なくとも３領域に分け、前記反射光の光量の変化幅が大きい画像読取領域のみ、前記反射光の光量と前記照射位置とを対応付けて前記記憶手段に記憶する請求項１に記載の画像読取装置。
【請求項３】
前記制御手段は、前記前処理において、前記反射光の光量の変化幅が小さい画像読取領域における前記反射光の光量の最大値と最小値とを算出し、
前記本処理において、前記反射光の光量の変化幅が大きい画像読取領域に対して、前記反射光の光量が前記最大値より大きい照射位置へ照射光量を低下させて光を照射させ、前記光量が前記最小値より小さい照射位置へ照射光量を上昇させて光を照射させる請求項２に記載の画像読取装置。
【請求項４】
前記測定手段は、主走査方向の走査を開始してから所定距離だけ余白を走査しているとみなし、前記余白の反射光の光量を測定する請求項１〜３の何れかに記載の画像読取装置。
【請求項５】
前記制御手段は、前記本処理において、前記記憶手段を参照して前記反射光の光量が第１所定値以上の場合に前記光源から照射される光の照射角度を変更する請求項１〜４に記載の画像読取装置。
【請求項６】
請求項１〜５の何れかに記載の画像読取装置と、
前記画像読取装置が読み取った画像に基づいて、用紙に画像を形成する画像形成手段と、を備えた画像形成装置。
【発明の詳細な説明】
【技術分野】
【０００１】
本発明は、光源により露光された画像をＣＣＤ等の撮像素子を用いて読み取る画像読取装置、及びこの画像読取装置を備えた画像形成装置に関する。
【背景技術】
【０００２】
従来、原稿を露光する光源と、原稿からの反射光を所定光路へ導くミラーと、反射光を撮像素子上に結像させるレンズと、反射光の光量を画像信号に変換する撮像素子とを備え、原稿載置台に載置された原稿の画像を読み取る画像読取装置が各種提案されている（例えば、特許文献１参照。）。原稿載置台に本を載置すると、本の中綴じ部分（本の綴じ目に沿った部分で、見開いた時の中央部分を示す。）やその付近は、原稿載置台から離間し、原稿載置台に対して傾斜面を形成する。本の中綴じ部分やその付近では、光源から照射した照射光の反射角が変化し、ある照射位置で反射光に照射光の正反射光が含まれる。撮像素子は、正反射光を含む反射光を受光すると出力が飽和する。この時、読み取った画像は、白ぬけ画像になる。また、撮像素子は、正反射光を含まない反射光を受光すると、原稿載置台から離間した距離だけ照射光の光量が不足する。この時、読み取った画像は、黒くなる。
【０００３】
特許文献１に記載の画像読取装置では、原稿載置台に載置された原稿のプリスキャンを行い、撮像素子が受光する反射光の光量を測定している。この画像読取装置は、測定した反射光の光が所定値を超えた箇所があると、照射光の光量を低下させて、原稿の画像を読み取る。
【先行技術文献】
【特許文献】
【０００４】
【特許文献１】特開平７−２０３１５８号公報
【発明の概要】
【発明が解決しようとする課題】
【０００５】
しかし、原稿載置台に載置された本の画像を読み取る場合、ある照射位置で反射光に正反射光が含まれるため、反射光の光が所定値を超える箇所が存在する。特許文献１に記載の画像形成装置は、原稿載置台に押し付けられ原稿載置台に当接する部分についても光量を低下させて画像を読み取り、読み取った画像が全体的に黒くなる。
【０００６】
そこで、この発明では、白抜けを低減して光沢紙や本から良好な画像を読み取ることができる画像読取装置、及びこの画像読取装置を備えた画像形成装置を提供することを目的とする。
【課題を解決するための手段】
【０００７】
この発明の画像読取装置は、受付手段と光源と撮像素子と測定手段と検知手段と記憶手段と制御手段とを備える。受付手段は、原稿台に載置された見開き原稿の画像を読み取るブック原稿モードを含む複数のモードの何れかの選択を受け付ける。光源は、原稿へ光を照射する。撮像素子は、光源から照射した光の反射光に基づいて原稿の画像を読み取る。測定手段は、反射光の光量を測定する。検知手段は、光源が光を照射している照射位置を検知する。記憶手段は、反射光の光量と照射位置とを対応付けて記憶する。制御手段は、前処理と本処理とを制御する。前処理では、受付手段がブック原稿モードの選択を受け付けた場合に、見開き原稿へ光源から光を照射させて、測定手段が測定した光量と検知手段が検知した照射位置とを対応付けて記憶手段へ記憶する。本処理では、記憶手段を参照して反射光の光量が第１所定値以上の場合に光源の照射光量を低下させ、反射光の光量が第２所定値未満の場合に光源の照射光量を上昇させるとともに、見開き原稿へ光源から光を照射させて見開き原稿の画像を撮像素子に読み取らせる。
【０００８】
この構成では、制御手段は、見開き原稿の画像を読み取る前に、前処理として、光源から見開き原稿へ光を照射させて、測定手段に走査位置毎の反射光の光量を測定させている。制御手段は、本処理として、光源から見開き原稿へ光を照射して、撮像素子により見開き原稿の画像を読み取る。撮像素子は、反射光の受光範囲を超え飽和状態となると読み取った画像が白抜け画像になり、反射光の光量が不足すると読み取った画像が黒くなる。制御手段は、本処理の際に、撮像素子に入射される反射光の光量が受光範囲を超えると光源の光量を低下させ、反射光の光量が不足すると光源の光量を上昇させる。
【０００９】
制御手段は、前処理において、反射光の光量の変化幅に応じて見開き原稿の画像読取領域を少なくとも３領域に分け、反射光の光量の変化幅が大きい画像読取領域のみ、反射光の光量と照射位置とを対応付けて記憶手段に記憶する構成であることが好ましい。
【００１０】
見開き原稿は、原稿載置台に押し付けられ原稿載置台に当接する部分と、中綴じ部分や中綴じ部分の付近等の原稿載置台から離間する部分とからなる。原稿載置台に当接する部分は、反射光に正反射光が含まれず、且つ画像面が光源から適切な位置に位置するため、照射位置に応じた反射光の光量が常に撮像素子の受光範囲内であり、大幅に変化しない。一方、原稿載置台から離間する部分は、反射光に正反射光が含まれる、画像面が光源から離れすぎる等の理由で、照射位置に応じて反射光の光量が大幅に変化する。そこで、この構成では、制御手段は、前処理において、原稿載置台から離間する部分に対してのみ照射位置毎の反射光の光量を記憶手段に記憶させている。制御手段は、本処理において、記憶手段を参照して、原稿載置台から離間する部分に対してのみ光源の照射光量を制御している。このように、画像読取装置は、原稿載置台から離間する部分に対してのみ光源の照射光量を制御するだけで、見開き原稿から読み取った画像から白抜け画像や黒い画像を減らすことができる。
【００１１】
制御手段は、前処理において、反射光の光量の変化幅が小さい画像読取領域における反射光の光量の最大値と最小値とを算出する構成であることが好ましい。この場合、制御手段は、本処理において、反射光の光量の変化幅が大きい画像読取領域に対して、反射光の光量が最大値より大きい照射位置へ照射光量を低下させて光を照射させ、光量が最小値より小さい照射位置へ照射光量を上昇させて光を照射させる。
【００１２】
反射光の光量の変化幅が小さい画像読取領域、すなわち原稿載置台に当接する部分は、白抜け画像や黒い画像とならならず、反射光の光量の変化幅が大きい画像読取領域、すなわち原稿載置台から離間する部分は、白抜け画像や黒い画像になる。そこで、制御手段は、反射光の光量の変化幅が小さい画像読取領域における反射光の最大値と最小値とを撮像素子の受光範囲の最大値と最小値とみなす。制御手段は、反射光の光量の変化幅が大きい画像読取領域に対して、反射光の光量が撮像素子の受光範囲外となれば照射光量を制御する。これにより、画像読取手段は、簡単な制御で、見開き原稿から読み取った画像から白抜け画像や黒い画像を減らすことができる。
【００１３】
測定手段は、主走査方向の走査を開始してから所定距離だけ余白を走査しているとみなし、余白の反射光の光量を測定する構成であることが好ましい。
【００１４】
この構成では、制御部は、反射光の光量の変化幅が大きい余白以外の文字や図面が記載された印刷面を除いて、反射光の光量の変化幅の小さい余白のみを反射光の光量の測定対象としている。これにより、画像読取装置は、撮像素子に入射される反射光の光量を正確に測定することができるため、見開き原稿から読み取った画像から白抜け画像や黒い画像をより正確に減らすことができる。
【００１５】
制御手段は、本処理において、記憶手段を参照して反射光の光量が第１所定値以上の場合に、光源から照射される光の照射角度を変更する構成であることが好ましい。
【００１６】
この構成では、制御手段は、反射光の光量が第１所定値以上の場合に、光源から照射する光の照射角度を変更している。光の照射角度が変わると、見開き原稿へ照射される光の入射角度や反射角度も変わる。制御手段は、光の照射角度を制御して、見開き原稿へ照射される光の反射角度を変更することで、見開き原稿へ照射された光の正反射光が撮像素子へ入射しないようにしている。これにより、画像読取装置は、反射光の光量が第１所定値以上の場合に、撮像素子へ入射される反射光の光量を低下させることができ、撮像素子の飽和を防ぐことができる。画像読取装置は、見開き原稿から読み取った画像から白抜け画像を減らすことができる。
【００１７】
この発明の画像形成装置は、上述の画像読取装置と画像形成手段とを備える。画像形成手段は、画像読取装置が読み取った画像に基づいて、用紙に画像を形成する。
【００１８】
これにより、画像形成装置は、Ｂｏｏｋ原稿から読み取った画像に白抜け画像や黒い画像が含まれないため、中綴じ部分に不要な陰影ができず、Ｂｏｏｋ原稿を綺麗に複写することができる。
【発明の効果】
【００１９】
この発明の画像読取装置、及びこの画像読取装置を備える画像形成装置は、見開き原稿の中綴じ部分が白抜け画像や黒い画像にならないように画像を読み取ることができる。
【図面の簡単な説明】
【００２０】
【図１】画像形成装置の概略の正面断面図である。
【図２】スキャナユニットの概略の正面断面図である。
【図３】印刷処理を示すフローチャートである。
【図４】操作部の一例を示す図である。
【図５】実行モードの選択メニューの一例を示す図である。
【図６】プリスキャン時の処理を示すフローチャートである。
【図７】走査位置毎の反射光量の変化と、その変化に応じた照射光量の制御方法を説明する図である。
【図８】走査位置毎の反射光量の変化と、その変化に応じた照射光量の他の制御方法を説明する図である。
【図９】走査位置に応じた照射角度の制御方法を説明する図である。
【図１０】光源ユニットの構成の一例である。
【図１１】光源からの光の照射角度とＢｏｏｋ原稿への入射角との関係を示す簡略図である。
【図１２】Ｂｏｏｋ原稿の余白を示す図である。
【図１３】プリスキャン時の他の処理を示すフローチャートである。
【発明を実施するための形態】
【００２１】
以下に、この発明の実施形態に係る画像読取装置を備えた画像形成装置について図面を参照して説明する。
【実施例１】
【００２２】
画像形成装置１００は、原稿から読み取った画像に基づいて所定の用紙に多色又は単色の画像を形成する。このため、画像形成装置１００は、本体の上部に画像読取装置１２０を装着し、内部に画像形成部１１０、給紙部１３０、及び主制御部２００を備えている。
【００２３】
画像読取装置１２０は、スキャナユニット７０、原稿台７１、自動原稿搬送装置７２を備えている。原稿台７１は、硬質板ガラスで構成され、画像形成装置１００の本体上面に取り付けられている。原稿台７１の上面は、自動原稿搬送装置７２によって開閉自在にされている。スキャナユニット７０は、原稿台７１の上面に載置された原稿の画像、及び自動原稿搬送装置７２により搬送される原稿の画像を読み取る。
【００２４】
画像形成部１１０は、中間転写ベルトユニット４０、画像形成ステーション３０Ａ〜３０Ｄ、二次転写ユニット５０、露光ユニット６０、定着ユニット８０を備えている。中間転写ベルトユニット４０は、無端ベルトである中間転写ベルト４１を駆動ローラ４２及び従動ローラ４３等によって回転自在に張架している。
【００２５】
画像形成ステーション３０Ａ〜３０Ｄは、それぞれブラック、シアン、マゼンタ及びイエローの各色の現像剤を用いて電子写真方式の画像形成を行う。画像形成ステーション３０Ａ〜３０Ｄは、それぞれ感光体ドラム３１の周囲に帯電器３２、現像器３３、中間転写ローラ３４、及びクリーナ装置３５を配置している。
【００２６】
露光ユニット６０は、画像読取装置１２０で読み取られたブラック、シアン、マゼンタ及びイエローの各色の画像データに基づいて半導体レーザを駆動し、各色のレーザ光を画像形成ステーション３０Ａ〜３０Ｄに配光する。露光ユニット６０は、画像データに基づいて駆動されるＬＥＤアレイ等の半導体レーザ以外の光源を用いたものであってもよい。
【００２７】
例えば、画像形成ステーション３０Ａでは、感光体ドラム３１の周面が、帯電器３２によって均一に帯電された後、露光ユニット６０から配光されたブラックの画像データに基づくレーザ光で露光される。これによって、感光体ドラム３１の周面に、ブラックの画像データに基づく静電潜像が形成される。次いで、感光体ドラム３１の周面には、現像器３３からブラックの現像剤が供給され、静電潜像がブラックのトナー像に可視像化される。感光体ドラム３１の周面に形成されたトナー像は、中間転写ローラ３４によって中間転写ベルト４１の表面に転写される。感光体ドラム３１の表面に残存したトナーは、クリーナ装置３５にて除去される。
【００２８】
モノクロ画像形成時には、画像形成ステーション３０Ａのみで上述の処理が行われる。また、カラー画像形成時には、画像形成ステーション３０Ｂ〜３０Ｄでも、シアン、マゼンタ及びイエローの各色について、画像形成ステーション３０Ａと同様の処理が行われる。ブラック、シアン、マゼンタ及びイエローの各色のトナー像が、中間転写ベルト４１の表面で重ね合わされる。
【００２９】
給紙部１３０は、給紙カセット８１、手差しトレイ８２、用紙主搬送路８３、用紙副搬送路８４を備えている。給紙カセット８１には、使用頻度の比較的高いサイズ及び種類の用紙が複数枚収納される。手差しトレイ８２には、使用頻度の比較的低いサイズや種類の用紙が載置される。
【００３０】
用紙主搬送路８３は、給紙カセット８１及び手差しトレイ８２から中間転写ベルト４１と二次転写ユニット５０との間、及び定着ユニット８０を経由して排紙部９０に至る間に形成されている。二次転写ユニット５０は、転写ローラ５０Ａを有し、中間転写ベルト４１の表面に担持されたトナー像を用紙に転写する。定着ユニット８０は、トナー像が転写された用紙を加熱及び加圧し、用紙にトナー像を定着させる。
【００３１】
用紙副搬送路８４は、用紙主搬送路８３における定着ユニット８０の通過位置と排紙ローラ９１の配置位置との間から二次転写ユニット５０の配置位置の上流側との間に形成されている。用紙副搬送路８４は、用紙の両面に画像を形成する際に、第１面に画像が形成されて定着ユニット８０を通過した後に排紙ローラ９１で前後端を反転された用紙を中間転写ベルト４１と二次転写ユニット５０の転写ローラ５０Ａとの間に導く。
【００３２】
図２に示すように、スキャナユニット７０は、ＣＣＤ（ChargeCoupled Device）読取ユニット７３、光源ユニット７４、ミラーユニット７５、制御部７７、及び記憶部７８を備える。スキャナユニット７０は、制御部７７からの指示に基づいて、原稿台７１上に載置されて平面支持された原稿の画像を、光源ユニット７４及びミラーユニット７５によって固定位置に設けられたＣＣＤ読取ユニット７３に結像して読取処理を行う。ＣＣＤ読取ユニット７３は、結像レンズ７３１及び撮像素子であるＣＣＤイメージセンサ７３２を備える。
【００３３】
光源ユニット７４は、照明光を照射する光源（例えば、ハロゲンランプ、ＬＥＤ等）７４１、光源７４１からの照明光を原稿台７１上の所定の読取位置に集光するレフレクタ７４２、原稿からの反射光のみを通過させるスリット７４３、及びスリット７４３を通過した反射光の光路を９０度偏向するミラー７４４を搭載している。ミラーユニット７５は、光源ユニット７４からの反射光の光路を１８０度偏向する一対のミラー７５１，７５２を搭載している。
【００３４】
原稿台７１上の原稿の画像を読み取る場合には、光源ユニット７４は速度Ｖで、ミラーユニット７５は速度Ｖ／２で、原稿台７１の下面において副走査方向に往復移動し、原稿台７１上の原稿の画像面における反射光の光路長を一定に維持してＣＣＤ読取ユニット７３に導く。この時、光源ユニット７４は、読出開始位置Ｐから読出終了位置Ｑまで往復移動するものとする。
【００３５】
なお、ＣＣＤ読取ユニット７３は、ＣＣＤイメージセンサ、結像レンズ及び光源を搭載した縮小読取光学系又は等倍読取光学系のユニットを速度Ｖで、原稿台７１の下面において副走査方向に往復移動する構造であってもよい。主走査方向とは、副走査方向に直交する方向（図２における紙面の表から裏へ向かう方向）である。
【００３６】
また、自動原稿搬送装置７２によって搬送された原稿の画像を読み取る場合には、光源ユニット７４及びミラーユニット７５は、読取ガラス７６の下面に静止したまま、自動原稿搬送装置７２によって読取ガラス７６上を通過する原稿の画像面にレフレクタ７４２を介して光源７４１から光を照射して画像を走査する。原稿の画像面で反射された光は、スリット７４３を通過してミラー７４４によって反射された後、一対のミラー７５１，７５２によって光路変換され、結像レンズ７３１を介してＣＣＤイメージセンサ７３２に結像し、電気的な画像データに変換される。
【００３７】
次に、印刷時の主制御部２００及び制御部７７の処理について説明する。以下では、画像形成装置１００は、Ｂｏｏｋ原稿の上の部分と下の部分が副走査方向と平行になるように原稿台７１上に載置されたＢｏｏｋ原稿を印刷する。
【００３８】
図３に示すように、主制御部２００は、一例として図４に示す操作部２０を操作して、実行モードの入力を受け付ける（Ｓ１）。操作部２０は、タッチパネル２１と操作キー２２からなる。主制御部２００は、コピーモードの操作入力を受け付けると、一例として図５に示す実行モードの選択メニュー２３をタッチパネル２１へ表示する。
【００３９】
主制御部２００は、Ｂｏｏｋ原稿モードの入力を受け付けると、制御部７７にプリスキャン処理（Ｓ２）、光量制御スキャン処理（Ｓ３）を行うよう指示する。主制御部２００は、Ｂｏｏｋ原稿モード以外の実行モード（例えば、厚紙モード、普通紙モード）の入力を受け付けると、制御部７７に通常のスキャン処理（Ｓ４）を行うよう指示する。通常のスキャン処理（Ｓ４）では、制御部７７は、光源７４１からの照射光量を一定にしたままで、原稿の画像を読み取って画像データを生成する。以下、通常のスキャン処理での照射光量を基準光量と称する。
【００４０】
主制御部２００は、光量制御スキャン処理（Ｓ３）、通常のスキャン処理（Ｓ４）にて読み取った画像データに基づいて、印刷処理を行う（Ｓ５）。なお、主制御部２００は、印刷処理に限らず、読み取った画像データを記憶するスキャン処理や、読み取った画像データをＦＡＸ送信するＦＡＸ送信処理を行ってもよい。
【００４１】
プリスキャン処理（Ｓ２）では、図６に示すように、制御部７７は、副走査方向の走査を開始する（Ｓ１１）。この時、制御部７７は、光源ユニット７４を読出開始位置Ｐへ移動させる。制御部７７は、副走査方向における走査位置を検出する（Ｓ１２）。
【００４２】
制御部７７は、主走査方向の走査を開始する（Ｓ１３）。制御部７７は、光源７４１からＢｏｏｋ原稿の画像面に向かって基準光量で光を照射して画像を走査する。この光は、Ｂｏｏｋ原稿の画像面で反射され反射光となる。反射光は、スリット７４３、ミラー７４４，７５１，７５２、及び結像レンズ７３１を経てＣＣＤイメージセンサ７３２に入射される。制御部７７は、ＣＣＤイメージセンサ７３２に入射された反射光の光量（以下、反射光量と称す。）を測定する（Ｓ１４）。反射光量は、ＣＣＤイメージセンサ７３２から出力される出力信号のレベルのことである。制御部７７は、主走査方向の走査が終了するまで（Ｓ１５：ＮＯ）、Ｓ１４の処理を行う。
【００４３】
制御部７７は、主走査方向の走査が終了する（Ｓ１５：ＹＥＳ）と、副走査方向における走査位置と測定した反射光量とを記憶部７８へ記憶する（Ｓ１６）。制御部７７は、副走査方向の走査が終了するまで（Ｓ１７：ＮＯ）、光源ユニット７４を読出開始位置Ｐから読出終了位置Ｑ側へ向かって移動させ（Ｓ１８）、Ｓ１２の処理へ戻る。制御部７７は、副走査方向の走査が終了する（光源ユニット７４が読出終了位置Ｑに位置する）と（Ｓ１７：ＹＥＳ）、プリスキャン処理（Ｓ２）を終了し、光量制御スキャン処理（Ｓ３）へ進む。
【００４４】
図７に示すように、制御部７７は、光量制御スキャン処理（Ｓ３）では、副走査方向における走査位置（区間Ａ〜区間Ｈ）に応じて反射光量が変化するため、反射光量に応じて光源７４１からの照射光量を次のように制御している。以下、光源ユニット７４を読出開始位置Ｐから読出終了位置Ｑへ移動させる場合について説明するが、読出終了位置Ｑから読出開始位置Ｐへ移動させてもよい。
【００４５】
区間Ａ及び区間Ｈでは、反射光量がほとんど変化しない。区間Ａ及び区間Ｈでは、Ｂｏｏｋ原稿の画像面が、普通紙の原稿の画像を読み取る時のように原稿台７１に押さえられていることが分かる。また、区間Ａ及び区間Ｈでは、光源７４１からの照射光量に過不足がないため、光源７４１から基準光量で光を照射させる。
【００４６】
区間Ｂでは、反射光量が区間Ａの反射光量から徐々に低下している。区間Ａと区間Ｂとの間の地点でＢｏｏｋ原稿の画像面が原稿台７１から離間したことと、区間Ｂの反射光に正反射光が含まれていないことが分かる。区間Ｂでは、Ｂｏｏｋ原稿の画像面が徐々に原稿台７１から離れて行くため、光源７４１からの照射光量が徐々に不足する。制御部７７は、基準光量から照射光量を徐々に上昇させる制御を行う。
【００４７】
区間Ｂにおける照射光量の増減値は、区間Ｂにおける照射光量の傾斜角θに比例する。具体的には、この増減値は、区間Ｂの開始地点と終了地点とを結んだ線分の上下方向の成分に比例するため、係数ａ・区間Ｂにおける副走査方向の走査距離Ｌ・ｔａｎθで求める。
【００４８】
区間Ｃでは、反射光量が区間Ａの反射光量より大きい一定値になっている。区間Ｃでは、Ｂｏｏｋ原稿の画像面が原稿台７１から離間しているにも関わらず、反射光量が区間Ａの反射光量より大きい一定値となっていることから、ＣＣＤイメージセンサ７３２の出力が飽和していることが分かる。更に、区間Ｃでは、ＣＣＤイメージセンサ７３２の出力が飽和していることから、反射光に正反射光が含まれていることが分かる。制御部７７は、光源７４１の照射光量を基準光量の半分まで低下させる制御を行う。なお、制御部７７は、光源７４１の照射光量をＣＣＤイメージセンサ７３２の出力が飽和しない程度まで低下させればよい。
【００４９】
区間Ｄでは、反射光量が区間Ｃの反射光量から徐々に低下している。区間Ｄでは、反射光に正反射光が含まれているにも関わらず、反射光量が区間Ｃの反射光量より小さいため、Ｂｏｏｋ原稿の画像面が原稿台７１から大きく離間していることが分かる。更に、区間Ｄでは、光源７４１からの照射光量が徐々に不足することが分かる。制御部７７は、照射光量を徐々に上昇させる制御を行う。制御部７７は、区間Ｂと同様に、Ｂｏｏｋ原稿の画像面の傾斜角に基づいて照射光量の増減値を算出する。
【００５０】
区間Ｅでは、反射光量が区間Ｄの反射光量から徐々に上昇している。区間Ｄと区間Ｅとの間の地点がＢｏｏｋ原稿の中綴じ部分の中心であることが分かる。また、区間Ｅでは、区間Ｄと同様に、反射光に正反射光が含まれているが、反射光量が区間Ｃの反射光量より低いため、Ｂｏｏｋ原稿の画像面が原稿台７１から大きく離間していることが分かる。更に、区間Ｅでは、光源７４１の照射光量が不足しているが徐々に不足量が減少することが分かる。制御部７７は、照射光量を徐々に低下させる制御を行う。制御部７７は、区間Ｂと同様に、Ｂｏｏｋ原稿の画像面の傾斜角に基づいて照射光量の増減値を算出する。
【００５１】
区間Ｆでは、区間Ｃと同様に、反射光量が区間Ａの反射光量より大きい一定値となっている。これにより、区間Ｆは、区間Ｃと同様の制御を行う。
【００５２】
区間Ｇでは、反射光量が急激に低下してから徐々に上昇している。これにより、区間Ｂと同様に反射光に正反射光が含まれていないことと、区間Ｇと区間Ｈとの間の地点でＢｏｏｋ原稿の画像面が原稿台７１から離間したことが分かる。更に、区間Ｇでは、区間Ｂと同様に光源７４１の照射光量が不足しているが、その不足量が徐々に解消することが分かる。制御部７７は、基準光量まで照射光量を徐々に低下させる制御を行う。制御部７７は、区間Ｂと同様に、Ｂｏｏｋ原稿の画像面の傾斜角に基づいて照射光量の増減値を算出する。
【００５３】
以上のように、制御部７７は、光源７４１の照射光量を制御することで、Ｂｏｏｋ原稿を読み取った画像から正反射光による白抜け画像や照射光量の不足による黒い画像を減らすことができる。
【００５４】
なお、区間Ｂ、Ｄ、Ｅ、Ｇにおける光源７４１の照射光量は、図７に示すようにＢｏｏｋ原稿の画像面の傾斜角に基づいて制御したが、図８に示すように一定値としてもよい。この場合、制御部７７は、Ｂｏｏｋ原稿の画像面の傾斜角に基づいて照射光量を区間毎に算出する。制御部７７は、最大値、又は最大値と最小値とから算出した平均値を区間毎の照射光量として制御する。図９では、算出した最大値を区間毎の照射光量としている。制御部７７は、区間Ｂ、Ｄ、Ｅ、Ｇにおける光源７４１の照射光量を一定値とすることで、光源７４１の制御を簡単化することができる。
【００５５】
なお、上述の例では、隣接する区間との反射光量の増減の変化に応じて区間Ｂ〜Ｇを切り分けた。しかし、プリスキャン処理（Ｓ２）のＳ１７の処理の後に、区間Ａ及び区間Ｈにおける反射光量の最大値と最小値とを算出して、算出した反射光量の最大値と最小値とに基づいて区間Ｂ〜Ｇの切り分けてもよい。この場合、制御部７７は、反射光量が区間Ａ及び区間Ｈにおける反射光量の最大値より大きい領域を区間Ｃ、Ｆとし、反射光量が区間Ａ及び区間Ｈにおける反射光量の最小値より小さい領域を区間Ｂ、Ｄ、Ｅ、Ｇとする。このようにすることで、制御部７７は、区間Ｂ〜Ｇの切り分けを簡単に行うことができる。
【実施例２】
【００５６】
実施例２に係る画像読取装置１２０について図９〜１１を参照して説明する。実施例１では、光源７４１の照射光量を直接制御したが、実施例２では、光源７４１から照射する光の照射角度を変更することで照射光量を低下させている。以下、実施例１との相違点のみ説明する。
【００５７】
図９，１０に示すように、光源ユニット７４は、原稿台７１の下方に配置され、副走査方向の走査では、読出開始位置Ｐから読取終了位置Ｑまで原稿台７１と平行に移動しながら、Ｂｏｏｋ原稿の画像面へ光を照射する。光源ユニット７４は、光源７４１とスリット７４３を基台７４５に設け、基台７４５に設けたスリット７４３の下方にミラー７４４を配置している。なお、図９，１０では、レフレクタ７４２を省略している。
【００５８】
基台７４５は、矩形の板からなり、一辺の端部に設けた支点７４５１を支軸として回転自在である。基台７４５は、支点７４５１の軸方向を長手方向として基板７４６を配置している。この基板７４６は、矩形の板からなり、長手方向に沿って光源７４１を一列に配置している。基台７４５は、基板７４６を挟んで支点７４５１と対向する位置に矩形のスリット７４３を形成している。また、基台７４５は、支点７４５１を設けた辺と隣接する辺上で且つ支点７４５１を設けた辺の反対側に偏芯カム７４７を設けている。この偏芯カム７４７は、モータ７４７１により駆動され、支点７４５１を支軸として原稿台７１に直交する方向（図１０の図面表から裏の方向）に基台７４５を移動する。
【００５９】
図１１（Ａ）に示すように、区間Ａ、区間Ｂ、区間Ｇ、及び区間Ｈでは、反射光に正反射光が含まれないため、制御部７７は、光源ユニット７４を原稿台７１に平行に移動して、Ｂｏｏｋ原稿の画像面へ光を照射させる。なお、説明の簡単化のため、図１１では、光源ユニット７４の光源７４１、スリット７４３及び基台７４５のみを簡略化して記載し、光源７４１からの光を直線光として記載している。
【００６０】
区間Ｃでは、図１１（Ｂ）に示すように、光源７４１から照射される光とＢｏｏｋ原稿の画像面との成す角（以下、入射角度と称す。）αが変化するため、反射光に正反射光が含まれてしまう。制御部７７は、図１１（Ｃ）に示すように、光源ユニット７４の移動を停止し、モータ７４７１を駆動して偏芯カム７４７により基台７４５を押し上げる。この時、原稿台７１に対して光源７４１の照射方向が上向きとなるように基台７４５が傾斜するため、光源７４１から照射される光と原稿台７１との成す角（以下、照射角度と称す。）βが大きくなる。この状態で、制御部７７は、光源ユニット７４を原稿台７１に平行に移動して、Ｂｏｏｋ原稿の画像面へ光を照射させる。照射角度βが変化すると入射角度αが入射角度α’に変化して、正反射光がスリット７４３を通過しないため、反射光に正反射光が含まれない。
【００６１】
なお、光源７４１から照射位置は、光が拡散光であるため、基盤７４５を傾斜させても影響を受けない。また、反射光は、スリット７４３の幅に余裕があるため、基盤７４５を傾斜させてもスリット７４３を通過することができる。このため、区間Ｃでは、光源ユニット７４は、基盤７４５を傾斜させても、移動及び各ミラー位置の制御の必要がない。
【００６２】
また、区間Ｆについても、区間Ｃと同様に、制御部７７は、光源ユニット７４の移動を停止して、モータ７４７１を駆動して偏芯カム７４７により基台７４５を押し上げて、光源７４１から光を照射させる。
【００６３】
区間Ｄ及び区間Ｅでは、反射光に正反射光が含まれるが、光源７４１の照射光量が不足している。制御部７７は、区間Ａ、区間Ｂ、区間Ｇ、及び区間Ｈと同様に、モータ７４７１を駆動して偏芯カム７４７により基台７４５を押し上げずに、光源ユニット７４を原稿台７１に平行に移動して、Ｂｏｏｋ原稿の画像面へ光を照射させる。
【００６４】
以上より、画像読取装置１２０は、光源７４１からの光の照射角度βを変更することで、反射光に正反射光を含まないようにすることができる。
【実施例３】
【００６５】
実施例３に係る画像読取装置１２０について図１２，１３を参照して説明する。実施例１では、Ｂｏｏｋ原稿の画像面からの反射光量に応じて光源７４１の照射光量を制御したが、実施例３では、Ｂｏｏｋ原稿の余白の画像面からの反射光量に応じて光源７４１の照射光量を制御する。以下、実施例１との相違点のみを説明する。
【００６６】
図１２に示すように、Ｂｏｏｋ原稿は、Ｂｏｏｋ原稿の上の部分とＢｏｏｋ原稿の下の部分のそれぞれから所定距離（５０ｍｍや１ｃｍ）だけ内側までが余白であることが多い。そこで、図１３に示すように、制御部７７は、主走査方向の走査を開始すると（Ｓ１３）、余白部分か否かを判断する（Ｓ４１）。余白部分か否かの判断は、主走査方向の走査を開始してから所定距離だけを余白部分とみなし、他は余白でないとみなして走査を行う。制御部７７は、余白部分のみ反射光量を測定し（Ｓ１４）、他は反射光量を測定しない。これにより、制御部７７は、反射光量の変化幅が大きい余白以外の文字や図面が記載された印刷面を除いて、反射光量の変化幅の小さい余白のみを反射光量の測定対象としているため、反射光量を正確に測定することができる。
【００６７】
なお、上述実施例では、プリスキャン処理（Ｓ２）において、Ｂｏｏｋ原稿の全体の反射光量を記憶したが、Ｂｏｏｋ原稿の中綴じ部分（区間Ｂ〜区間Ｇ）の反射光量のみを記憶部７８へ記憶してもよい。光量制御スキャン処理（Ｓ３）において、Ｂｏｏｋ原稿の中綴じ部分以外の個所（区間Ａ、区間Ｈ）では、反射光量がほとんど変化しないため、光源７４１からの照射光量の制御を行わない。制御部７７は、記憶部７８に記憶している走査位置（区間Ｂ〜区間Ｇ）に対してのみ、光源７４１からの照射光量を制御すれば足りるからである。これにより、記憶部７８の記憶容量を小さくすることができる。
【００６８】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内でのすべての変更が含まれることが意図される。
【符号の説明】
【００６９】
１００…画像形成装置
１１０…画像形成部
１２０…画像読取装置
２００…主制御部
７０…スキャナユニット
７１…原稿台
７３…ＣＣＤ読取ユニット
７３２…ＣＣＤイメージセンサ
７４…光源ユニット
７４１…光源
７７…制御部
７８…記憶部
【図２】
2012039332.tif 000003
【図３】
2012039332.tif 000004
【図５】
2012039332.tif 000005
【図６】
2012039332.tif 000006
【図７】
2012039332.tif 000007
【図８】
2012039332.tif 000008
【図９】
2012039332.tif 000009
【図１０】
2012039332.tif 000010
【図１１】
2012039332.tif 000011
【図１３】
2012039332.tif 000012
【図１】
2012039332.tif 000013
【図４】
2012039332.tif 000014
【図１２】
2012039332.tif 000015